(57)【要約】      （修正有）【課題】汗や水分をバンドと皮膚との密着部分から外部に逃げ易くし、長時間快適に装着できる生体情報測定機器を提供する。【解決手段】生体情報測定機器（測定機器１）は、ケース部１０を生体に固定するバンド２０を備え、バンド２０には、生体に面する側に凹形状の溝部２８，２９が設けられ、溝部２８，２９の深さは、１０２０μｍ以上１１４０μｍ以下である。【選択図】図３
2016096955.tif 000002
【特許請求の範囲】
【請求項１】
生体情報を検出する検出部と、
前記検出部を収納するケース部と、
前記ケース部を生体に固定するバンドと、を備え、
前記バンドには、前記生体に面する側に、凹形状の溝部が設けられ、
前記溝部の深さは、１０２０μｍ以上１１４０μｍ以下であることを特徴とする生体情報測定機器。
【請求項２】
前記溝部の深さは、１０５０μｍ以上１１００μｍ以下であることを特徴とする請求項１に記載の生体情報測定機器。
【請求項３】
前記溝部の深さは、１０６０μｍ以上１０８０μｍ以下であることを特徴とする請求項１に記載の生体情報測定機器。
【請求項４】
前記バンドの端部の前記溝部の深さが、前記バンドの他の部位の前記溝部の深さより深くなっていることを特徴とする請求項１ないし請求項３のいずれか一項に記載の生体情報測定機器。
【請求項５】
生体情報を検出する検出部と、
前記検出部を収納するケース部と、
前記ケース部を生体に固定するバンドと、を備え、
前記バンドには、前記生体に面する側に、凹形状の溝部が設けられ、
前記溝部の幅は、９１０μｍ以上２３００μｍ以下であることを特徴とする生体情報測定機器。
【請求項６】
前記溝部の幅は、９５０μｍ以上２０００μｍ以下であることを特徴とする請求項５に記載の生体情報測定機器。
【請求項７】
前記溝部の幅は、１０００μｍ以上１７００μｍ以下であることを特徴とする請求項５に記載の生体情報測定機器。
【請求項８】
前記バンドの端部の前記溝部の幅が、前記バンド部の他の部位の前記溝部の幅より広くなっていることを特徴とする請求項５ないし請求項７のいずれか一項に記載の生体情報測定機器。
【請求項９】
前記溝部は、前記バンドの延在方向に沿って設けられていることを特徴とする請求項１ないし請求項８のいずれか一項に記載の生体情報測定機器。
【請求項１０】
前記溝部は、前記溝部は前記ケース部に達するように設けられていることを特徴とする請求項９に記載の生体情報測定機器。
【請求項１１】
前記溝部は、前記バンドの延在方向に交差する方向に沿って設けられていることを特徴とする請求項１ないし請求項８のいずれか一項に記載の生体情報測定機器。
【請求項１２】
前記バンドは、前記生体に面する側から反対の側に貫通する穴部を備え、
前記溝部は、前記穴部に繋がるように設けられていることを特徴とする請求項１ないし請求項１１のいずれか一項に記載の生体情報測定機器。
【請求項１３】
前記バンドは、前記ケース部の一方に延在する第１バンド部と、
前記ケース部を介して反対側に延在する第２バンド部と、を含み、
前記溝部は、前記第１バンド部、および前記第２バンド部に設けられていることを特徴とする請求項１ないし請求項１２のいずれか一項に記載の生体情報測定機器。
【請求項１４】
前記バンドは、前記生体に倣って変形可能な材料によって形成されていることを特徴とする請求項１ないし請求項１３のいずれか一項に記載の生体情報測定機器。
【請求項１５】
前記バンドは、弾性を有する樹脂材料によって形成されていることを特徴とする請求項１４に記載の生体情報測定機器。
【発明の詳細な説明】
【技術分野】
【０００１】
本発明は、生体情報測定機器に関する。
【背景技術】
【０００２】
従来、バンド等によって手首等の部位に装着され、装着者の脈波や脈拍等の生体情報を測定する測定機器や、当該生体情報の測定機能を有する腕時計状の電子機器が知られている（例えば、特許文献１、および特許文献２参照）。このような機器（測定機器、電子機器）では、表示部を有するケース部（本体部）の両側に伸びる２本のバンドで、当該ケース部を手首に装着するとしている。なお、ケース部の裏面（表示部の反対面）には、脈波を光学的に検出するための検出部（センサー）が配置されている。
【０００３】
さらに、このような機器では、生体情報を安定して測定するために、検出部を腕に密着させる必要がある。詳しくは、機器を装着する部位、例えば手首の太さや、断面形状が装着者によって異なっていても、ケース部を密着させた状態で装着可能なことが必要である。そして、生体情報を連続して測定し続けるためには、バンドを含めた機器全体が小型軽量であり、装着者の負担が少なく長時間快適に装着できる構成が求められる。
【０００４】
このような課題に対応するため、特許文献１には、ケース部（装置本体）の両側に伸びる２本のバンドのそれぞれに、バンドの長手方向に伸縮自在な伸縮部を設けた構成が開示されている。そして、伸縮部の伸縮における復元力によって検出部を腕に密着させることができるとしている。また、特許文献２には、一方のバンド（バンド片）を二つのバンド部材で構成し、二つのバンド部材を伸縮性の高い連結部材で連結する構成が開示されている。そして、連結部材の伸縮における復元力によって検出部を腕に密着させることができるとしている。
【０００５】
このような従来の機器では、検出部（センサー）が手首に密着されるとともに、バンドも手首に密着されてしまう。このため、機器を手首に長時間装着すると、装着者の汗や生活するにあたって避けられない水分（例えば、手洗い後の水滴）がバンドと皮膚との間に溜まり、装着者が不快感を生じてしまうという課題があった。
【０００６】
このような課題の対応には、例えばバンドと皮膚との密着面積を減らしたり、汗や水分を外部に逃がしたりするため、バンドの手首と密着する面に溝を設けることが有効である。なお、特許文献１、および特許文献２のそれぞれの図１には、バンドの手首と密着する面の中央部にバンドの長手方向に伸びる溝状の部位が示されているが、この溝状の部位に関しては、例えば深さ寸法、長さ寸法、あるいは幅寸法などの形状について本文中に全く記載されていない。
【先行技術文献】
【特許文献】
【０００７】
【特許文献１】特開２０１０−１１０６３４号公報
【特許文献２】特開２００６−２７１６１０号公報
【発明の概要】
【発明が解決しようとする課題】
【０００８】
しかしながら、上述したような従来の機器において、溝の形状を適正に設定しないと、汗や水分を外部に十分に逃がすことができなかったり、バンドの強度（耐久性）が十分にとれなかったりする虞がある。
具体的には、溝の幅が狭すぎたり、溝の深さが浅すぎたりする場合は、汗や水分がバンドと皮膚との密着部分から外部に逃げ難くなり、結果的にバンドと皮膚との密着部分に残った汗や水分によって装着者に不快感を与えてしまう。換言すれば、装着者は、装着感が悪くなって長時間の装着に対しストレスを感じてしまい、場合によっては装着を放棄してしまう虞がある。このように、装着者が装着を放棄してしまえば、装着者の脈波等の生体情報（健康状態）の計測（把握）ができなくなってしまう。また、溝の幅が狭かったり、溝の深さが浅かったりする場合は、バンドの柔軟性が損なわれてしまうことにより経時的な耐久性が低下し、ひび割れなどの損傷を生じてしまう虞がある。
一方、溝の幅が広すぎる、あるいは溝の深さが深すぎる場合は、バンドの強度が低下し、バンドの破損や、例えばランニング時などに機器に加わる衝撃や加速度（Ｇ）によって、バンドが変形してしまい、検出部（センサー）と皮膚との密着性が低下してしまう虞があった。これにより、装着者の脈波等の生体情報（健康状態）の計測（把握）を、正確に行うことができなくなってしまう。
【課題を解決するための手段】
【０００９】
本発明は、上述の課題の少なくとも一部を解決するためになされたものであり、以下の形態または適用例として実現することが可能である。
【００１０】
［適用例１］本適用例に係る生体情報測定機器は、生体情報を検出する検出部と、前記検出部を収納するケース部と、前記ケース部を生体に固定するバンドと、を備え、前記バンドには、前記生体に面する側に、凹形状の溝部が設けられ、前記溝部の深さは、１０２０μｍ以上１１４０μｍ以下であることを特徴とする。
【００１１】
本適用例によれば、バンドの生体に面する側に設けられている溝部の深さが、１０２０μｍ以上１１４０μｍ以下であることにより、バンドの強度（耐久性）を低下させることなく、汗や水分を外部に十分に逃がすことができる。換言すれば、装着者の装着感を損ねることなく、バンドの変形などによって生じる検出部（センサー）と生体（皮膚）との密着性が低下することによる、装着者の脈波等の生体情報（健康状態）の不正確な計測（把握）を防止することができる。
【００１２】
［適用例２］上記適用例に記載の生体情報測定機器において、前記溝部の深さは、１０５０μｍ以上１１００μｍ以下であることが好ましい。
【００１３】
本適用例によれば、溝部の深さを１０５０μｍ以上１１００μｍ以下とすることにより、さらに、溝部内の通気性が向上し、汗や水分を外部に十分に逃がすことができる。
【００１４】
［適用例３］上記適用例に記載の生体情報測定機器において、前記溝部の深さは、１０６０μｍ以上１０８０μｍ以下であることが好ましい。
【００１５】
本適用例によれば、溝部の深さを１０６０μｍ以上１０８０μｍ以下とすることにより、さらに溝部内の通気性が向上し、汗や水分を外部に十分に逃がすことができるとともに、バンドの柔らかさが増し、装着部（生体）とのフィット感（装着感）を高めることができる。
【００１６】
［適用例４］上記適用例に記載の生体情報測定機器において、前記バンドの端部の前記溝部の深さが前記バンドの他の部位の前記溝部の深さより深くなっていることが好ましい。
【００１７】
本適用例によれば、バンドの端部の開口面積が大きくなることから、より通気性を向上させることが可能となり、汗や水分を外部に逃がし易くなる。
【００１８】
［適用例５］本適用例に係る生体情報測定機器は、生体情報を検出する検出部と、前記検出部を収納するケース部と、前記ケース部を生体に固定するバンドと、を備え、前記バンドには、前記生体に面する側に、凹形状の溝部が設けられ、前記溝部の幅は、９１０μｍ以上２３００μｍ以下であることを特徴とする。
【００１９】
本適用例によれば、バンドの強度（耐久性）を低下させることなく、汗や水分を外部に十分に逃がすことができる。換言すれば、装着者の装着感を損ねることなく、バンドの変形などによって生じる検出部（センサー）と生体（皮膚）との密着性が低下することによる、装着者の脈波等の生体情報（健康状態）の不正確な計測（把握）を防止することができる。
【００２０】
［適用例６］上記適用例に記載の生体情報測定機器において、前記溝部の幅は、９５０μｍ以上２０００μｍ以下であることが好ましい。
【００２１】
本適用例によれば、溝部の幅を９５０μｍ以上２０００μｍ以下とすることにより、さらに、溝部内の通気性を確保しつつ、バンドの強度を高めることができる。
【００２２】
［適用例７］上記適用例に記載の生体情報測定機器において、前記溝部の幅は、１０００μｍ以上１７００μｍ以下であることが好ましい。
【００２３】
本適用例によれば、幅が１０００μｍ以上１７００μｍ以下の溝部を設けることにより、溝部が設けられることによってバンドに形成される土手状の壁部（装着者の装着部（生体）との接触部）の幅を大きくすることができることにより、土手状の壁部の装着者の装着部（生体）への食い込みを減少させることができ、装着者の装着感を損なうことを防止することができる。したがって、汗や水分を外部に十分に逃がすことができることも含めて装着者の装着感を高めることができるとともに、バンドの強度（耐久性）の低下も防止することができる。
【００２４】
［適用例８］上記適用例に記載の生体情報測定機器において、前記バンドの端部の前記溝部の幅が前記バンドの他の部位の前記溝部の幅より広くなっていることが好ましい。
【００２５】
本適用例によれば、バンドの端部の開口面積が大きくなることから、より通気性を向上させることが可能となり、汗や水分を外部に逃がし易くなる。
【００２６】
［適用例９］上記適用例に記載の生体情報測定機器において、前記溝部は、前記バンドの延在方向に沿って設けられていることが好ましい。
【００２７】
本適用例によれば、バンドに生じた汗や水分を溝部から外部に逃がすことが可能となる。
【００２８】
［適用例１０］上記適用例に記載の生体情報測定機器において、前記溝部は、前記ケース部に達するように設けられていることが好ましい。
【００２９】
本適用例によれば、バンドに加えて、ケース部分に生じた汗や水分を溝部から外部に逃がすことが可能となり、さらに装着感を高めることができる。
【００３０】
［適用例１１］上記適用例に記載の生体情報測定機器において、前記溝部は、前記バンドの延在方向に交差する方向に沿って設けられていることが好ましい。
【００３１】
本適用例によれば、例えば腕部などの曲面に装着する場合におけるバンドの変形が起こり易くなり、装着感（フィット感）を向上させることができる。
【００３２】
［適用例１２］上記適用例に記載の生体情報測定機器において、前記バンドは、前記生体に面する側から反対の側に貫通する穴部を備え、前記溝部は、前記穴部に繋がるように設けられていることが好ましい。
【００３３】
本適用例によれば、溝部と繋がる穴部からも、汗や水分を外部に逃がすことができるため、装着者の装着部（生体）への汗や水分の滞留を防止することができ、より快適な装着感を得ることができる。
【００３４】
［適用例１３］上記適用例に記載の生体情報測定機器において、前記バンドは、前記ケース部の一方に延在する第１バンド部と、前記ケース部を介して反対側に延在する第２バンド部と、を含み、前記溝部は、前記第１バンド部、および前記第２バンド部に設けられていることが好ましい。
【００３５】
本適用例によれば、バンドは、第１バンド部とケース部を介した第２バンド部とを含んでいるため、装着感を損なうことなく検出部を装着部（生体）に、容易に密着させることができる。また、第１バンド部および第２バンド部に溝部が設けられていることから、バンド全体から汗や水分を逃がすことが可能となる。
【００３６】
［適用例１４］上記適用例に記載の生体情報測定機器において、前記バンドは、前記生体に倣って変形自在な材料によって形成されていることが好ましい。
【００３７】
本適用例によれば、生体に倣って変形自在な材料によって構成されているため、溝部による通気性を確保しつつ、ケース部を適度な押圧力で腕に固定することが可能となり、検出部を検出位置に密着させることができる。
【００３８】
［適用例１５］上記適用例に記載の生体情報測定機器において、前記バンドは、弾性を有する樹脂材料によって形成されていることが好ましい。
【００３９】
本適用例によれば、バンドが弾性を有する樹脂から構成されているため、溝部による通気性を確保しつつ、ケース部を適度な押圧力で腕に固定することが可能となる。よって、検出部を装着部（生体）に密着させることができる。
【図面の簡単な説明】
【００４０】
【図１】実施形態１に係る生体情報測定機器の概略構成を示す斜視図。
【図２】実施形態１に係る生体情報測定機器の概略構造の展開図。
【図３】実施形態１に係るケース部およびバンドの概略構成を示す図。
【図４】溝の形状の詳細を示す図。
【図５】溝の深さおよび溝の幅の適否を示すグラフ。
【図６】バックル部の構成、およびバンドとの接続構成の概略を示す図。
【図７】バックル部の構成、およびバンドとの接続構成の概略を示す図。
【図８】装着状態における側面図。
【図９】バックル部の他の構成を示す斜視図。
【図１０】バックル部の他の構成の装着状態における側面図。
【図１１】溝の変形例を示す平面図。
【図１２】溝部の変形例を示す図。
【図１３】溝部の変形例を示す断面図。
【図１４】実施形態２に係る生体情報測定機器の従来例を示す断面図。
【図１５】実施形態２に係る生体情報測定機器を示す斜視図。
【図１６】実施形態３に係る生体情報測定機器を示す正面図。
【図１７】実施形態４に係る生体情報測定機器を示す斜視図。
【図１８】実施形態５に係る生体情報測定機器を示す断面図。
【図１９】実施形態２〜５に係る生体情報測定機器を製造する方法のフローチャート。
【発明を実施するための形態】
【００４１】
以下、本発明の実施形態について、図面を参照して説明する。なお、以下の各図においては、各層や各部位を図面上で認識可能な程度の大きさとするため、各層や各部位の縮尺を実際とは異ならしめてある。
【００４２】
（実施形態１）
《生体情報測定機器の概要》
図１は、実施形態１に係る生体情報測定機器の概略構成を示し、図１（ａ）は生体情報測定機器を生体に装着した装着状態を示す図であり、図１（ｂ）は生体情報測定機器を生体から取り外した開放状態を示す図である。
本実施形態１に係る生体情報測定機器（以下では、測定機器ともいう）１は、生体情報を測定される生体（例えば人体）に装着され、脈波等の生体情報を測定する電子機器である。図１（ａ）に示すように、測定機器１は、腕時計のように装着者（生体）の測定部位（手首等）に装着され使用される。本実施形態では、測定機器１が装着者の左側の腕ＡＲの手首ＷＲに装着された状態を示している。
【００４３】
本明細書では、測定機器１の正面の法線方向を、図１（ａ）における手前側を正とするＺ軸方向とする。測定機器１の正面とは、発光部１４が配置された面を指す。また、Ｚ軸方向と交差する方向であって、腕ＡＲの長さ方向を、指がある先端側を正とするＸ軸方向とする。そして、Ｚ軸方向およびＸ軸方向と交差する方向であって、腕ＡＲの幅方向を、小指側を正とするＹ軸方向とする。
【００４４】
なお、本明細書では、測定機器１を正面の法線方向（Ｚ軸方向）から見ることを「正面視」という。また、測定機器１をＸ軸方向から見ることを「側面視」という。また、測定機器１が手首ＷＲに装着された状態で、生体側、すなわち手首ＷＲに面する側を「内側」または「内面」といい、生体とは反対側、すなわち手首ＷＲに面する側の反対側を「外側」または「外面」という。
【００４５】
測定機器１は、腕時計に類似した一般の生体情報測定機器（以下では、一般の測定機器という）のように文字やグラフィックス等を表示するためのモニター部（ディスプレイ）を備えておらず、その代わりに、発光部１４を備えている。また、測定機器１は、一般の測定機器のように操作するためのボタンやスイッチ類を備えていない。測定機器１は、測定機器１の正面とは反対側の底面（検出部）を手首ＷＲに密着させた状態で生体情報を測定する。なお、発光部１４の代わりに振動モーターやアラームなどを用いる構成としても良い。
【００４６】
図１（ｂ）に示すように、測定機器１は、機器本体であるケース部１０と、ケース部１０を手首ＷＲに固定するバンド２０と、バンド２０に接続するバックル部３０と、を備えている。
バンド２０は、Ｙ軸方向に沿ってケース部１０の正面側を覆うとともにケース部１０の両側から延出されており、バックル部３０により連結されている。
バックル部３０は、２枚の金属製のプレートを回動軸で繋いだ蝶番状の部材で、２枚のプレートを重ねて折り畳むと長さが短くなり、並べて伸ばすと長くなる構造となっている。
つまり、測定機器１は、生体情報を検出する検出部を有するケース部１０と、ケース部１０を生体に固定するためのバンド２０と、バンド２０と環状に接続するとともに、長さを調整可能なバックル部３０とを備えている。
【００４７】
このように、バンド２０の両端がバックル部３０により連結されることにより、測定機器１は、図１（ａ）に示す手首ＷＲに装着された状態（以下では、装着状態という）、および、図１（ｂ）に示す手首ＷＲから取り外された状態（以下では、開放状態という）の双方の状態において環状となっている。
この構成により、測定機器１を装着する際には、バックル部３０を伸ばした状態として、図１（ｂ）に示す環状の大きな開口部に、手をすぼめて挿入した後、腕の装着位置でバックル部３０を折畳んで短くすることにより、図１（ａ）に示すように、測定機器１を装着することができる。特に、バンド２０の構成や材質、環状の開口部サイズの最適化などの様々な創意工夫を施すことにより、測定機器１の着脱を繰り返しても、検出部が腕の検出位置に正確に、かつ、略同等の押圧（押し付け力）で固定可能な構成を実現している。なお、詳細な説明は後述する。
【００４８】
《生体情報測定機器の全体構成》
図２は、生体情報測定機器の概略構造の展開図である。
図２に示すように、バンド２０には、その延在方向における中程に開口部２１ｂ（穴部）が形成されている。開口部２１ｂには、平面的に略長方形をなしたケース部１０が嵌め込まれている。ケース部１０は、発光部１４を上（正面側）に向けた状態で、バンド２０の背面側（手首ＷＲと対面する側）から開口部２１ｂに嵌め込まれ（挿入され）ている。バンド２０の延在方向における開口部２１ｂが形成されている部分は、両端部よりも幅広に形成されている。
バンド２０は、開口部２１ｂから一端側に伸びる第１バンド部２２と、他端側に伸びる第２バンド部２４とを備えている。単品（初期）状態におけるバンド２０は、側面視において、その中程（開口部２１ｂ）を頂部として、左右に第１バンド部２２と、第２バンド部２４とが垂れ下がる逆Ｕ字状の形状となっている。
【００４９】
ケース部１０は、Ｙ軸方向に沿った側部１１とＸ軸方向に沿った端部１２とを有し、正面視において側部１１を長辺とし端部１２を短辺とする略長方形状である。また、ケース部１０は、測定機器１の正面側に凸状の曲面で構成される上面１０ａを有し、上面１０ａとは反対側、すなわち、手首ＷＲに面する側に底面１０ｂを有している。底面１０ｂには、検出部としての窓部１３が配置されている。なお、実際に生体情報を検出するセンサーは、窓部１３の奥に配置されている光電脈波センサー部５であるが、構造上、手首ＷＲ側に最も突出しており、かつ、密着性が求められる部位が窓部１３となるので検出部としている。ケース部１０は、例えば、ポリカーボネイト（ＰＣ）、ポリスチレン（ＰＳ）、ＡＢＳ樹脂等の樹脂材料からなる。
【００５０】
ケース部１０の上面１０ａには、発光部１４が配置されている。発光部１４は、例えば、ＬＥＤ（Light Emitting Diode）等からなる複数の発光素子で構成される。好適例では、５つのＬＥＤを一列に配置している。測定機器１は、発光部１４において、例えば、各発光素子の発光色を異ならせたり、点灯、消灯、点滅等の状態を組み合わせたりすることにより、測定機器１の動作モードや、生体情報の測定に関わる情報等を装着者に通知することができる。
【００５１】
バンド２０は、Ｙ軸方向に沿って延在している。バンド２０の本体部２１の表面２１ａは、ケース部１０の上面１０ａに沿って略円弧状に湾曲している。なお、バンド２０は、検出部（センサー）としての窓部１３を、例えば手首ＷＲなどに密着させるように測定機器１を生体（例えば人体における腕ＡＲの手首ＷＲ）に装着するため、生体に倣って変形自在な材料によって形成されていることが好ましい。
【００５２】
バンド２０の材料としては、例えば、シリコーンゴム（シリコーン樹脂）、天然ゴム、カーボンブラックを配合したゴム、イソプレンゴム、ブタジエンゴム、スチレン・ブタジエンゴム、クロロプレンゴム、ニトリルゴム、ポリイソブチレン、エチレンプロピレンゴム、クロロスルホン化ポリエチレンゴム、アクリルゴム、フッ素ゴム、エピクロルヒドリンゴム、ウレタンゴム（ウレタン樹脂）、ポリウレタンゴム（ポリウレタン樹脂）、スチレン系エラストマー、オレフィン系エラストマー、塩ビ系エラストマー、ポリエステル系エラストマー、ポリウレタン系エラストマー、シリコーン系エラストマー、アミド系エラストマー、ナイロン系エラストマー、動的架橋型エラストマー等、または、これらをブレンドしたものを用いることができる。また、他の材料としては、合皮、本皮、本革、あるいは熱可塑性樹脂で構成されたポリエチレン、ポリプロピレン、エチレン−酢酸ビニル共重合体等のポリオレフィン、変性ポリオレフィン、ポリアミド（例：ナイロン６、ナイロン４６、ナイロン６６、ナイロン６１０、ナイロン６１２、ナイロン１１、ナイロン１２、ナイロン６−１２、ナイロン６−６６）、熱可塑性ポリイミド、芳香族ポリエステル等の液晶ポリマー、ポリフェニレンオキシド、ポリフェニレンサルファイド、ポリカーボネート、ポリメチルメタクリレート、ポリエーテル、ポリエーテルエーテルケトン、ポリエーテルイミド、ポリアセタール、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー等、またはこれらを主とする共重合体、ブレンド体、ポリマーアロイ等があげられ、このうち１種または２種以上を混合して用いることができる。バンド２０は、手首ＷＲに対して適度な締め付け力が得られるような柔軟性や弾性力と良好な耐久性とを有し、肌に優しい（皮膚に対する刺激の少ない）ことが望ましい。このような特性を有する材料として、シリコーンゴムを好適に用いることができる。
【００５３】
このような材料でバンド２０を形成することにより、後述する溝部２８，２９（図３参照）による通気性を確保しつつ、ケース部１０を適度な押圧力で手首ＷＲに固定することが可能となり、検出部（センサー）としての窓部１３を検出位置に密着させることができる。
【００５４】
バンド２０は、ケース部１０の上面１０ａを覆う本体部２１と、本体部２１からケース部１０の側部１１に沿った方向の一方の側に延出する第１バンド部２２と、本体部２１からケース部１０の側部１１に沿った方向の他方の側に延出する第２バンド部２４とを有している。本体部２１、第１バンド部２２、および第２バンド部２４は、一体で成形されている。バンド２０の中程に位置する本体部２１は、ケース部１０の上面１０ａに沿って湾曲しており、凸状の曲面で構成される表面２１ａを有している。本体部２１には、開口部２１ｂが形成されている。
【００５５】
第１バンド部２２および第２バンド部２４は、湾曲した本体部２１からケース部１０の底面１０ｂ側に反るように延在している。第１バンド部２２は、その先端に先端部２３を有している。先端部２３は第１バンド部２２の延在方向から内側へ曲げられている。第２バンド部２４は、その先端に先端部２５を有している。先端部２５も、第２バンド部２４から内側へ曲げられている。
【００５６】
第１バンド部２２には、複数の調整穴部２６が第１バンド部２２の延在方向に沿って並ぶように設けられている。複数の調整穴部２６は、第１バンド部２２をその厚さ方向に貫通して設けられ、略均一な配置ピッチで配置されている。第２バンド部２４には、先端部２５側に接続部２７が設けられている。接続部２７は、第２バンド部２４から内側に凸状に突出して設けられ、第２バンド部２４の幅方向に貫通する接続穴を有している。
【００５７】
バックル部３０は、第１プレート（第１バックル部）３１と、第２プレート（第２バックル部）３２と、第１プレート３１と第２プレート３２とを回動可能に軸支するヒンジ部３３とを有している。バックル部３０は、第１バンド部２２と、第２バンド部２４とを繋ぐ、折畳み型の長さ調整部材であり、第１プレート３１は第１バンド部２２に接続され、第２プレート３２は第２バンド部２４に接続される。バックル部３０の材質は、好適例では、ステンレス鋼を主体に用いている。なお、これに限定する物ではなく、耐蝕性が良く、折畳み耐久性を満たし、軽量な材料であれば良い。例えば、チタンであっても良い。また、バックル部３０は、金属ではなく樹脂で構成しても良い。これにより、バンド２０とバックル部３０との一体感が増すので、見栄えが良くなる。
バックル部３０は、第２プレート３２が第１プレート３１の外側に重なるように折り畳むことで装着状態となる。また、バックル部３０は、第２プレート３２を第１プレート３１から外側へ離間して展開することで開放状態となる。
【００５８】
ケース部１０とバンド２０とは、ケース部１０の上面１０ａ側がバンド２０の開口部２１ｂに嵌め込まれて、一体に設けられている。ケース部１０の上面１０ａ、側部１１、および端部１２の一部は、バンド２０で覆われている。また、ケース部１０の上面１０ａの一部は、カバー部１６で覆われている。カバー部１６は、発光部１４と重なる部分を開口部とした化粧板である。カバー部１６は、ポリカーボネイトなどの樹脂製のフィルム部材から構成されており、カラフルな着色がなされ、文字などの印刷が可能な構成となっている。カバー部１６は、ケース部１０を保護するとともに、デザインの自由度を高めている。
【００５９】
測定機器１は、機器本体であるケース部１０内に制御部、電源部、通信部、センサー部等を備えている。なお、ケース部１０内に備えるこれらの構成要素については図示を省略する。制御部は、例えばＣＰＵ、ＲＯＭ、ＲＡＭ等で構成され、これらのハードウェアとＲＯＭ等に記憶されたソフトウェアとが協働して測定機器１の動作を制御する。電源部は、電源回路、電池等で構成される。ケース部１０には、電池を充電するための端子部が設けられている。
【００６０】
通信部は、測定機器１とスマートフォンやパーソナルコンピューター等の外部機器との間で、例えばＢｌｕｅｔｏｏｔｈ（登録商標）等の公知の無線通信方式により、無線通信を行う。これにより、外部機器から測定機器１を操作することや、測定機器１で測定された生体情報を外部機器に送信して装着者の生体情報の蓄積および管理をすることができる。測定機器１は、外部機器との連携により、測定した装着者の生体情報を蓄積しその情報に基づいて装着者に、例えば、生体情報の分析結果や運動量が適正であるか否か等の情報を提供する機能を有している。
【００６１】
センサー部としては、前述した生体情報を検出する光電脈波センサー部５に加えて、装着者のタップ操作を検出するタップ操作センサー部（図示省略）を備えている。光電脈波センサー部５は、例えばＬＥＤ等の発光素子とフォトダイオード等の受光素子とで構成される。光電脈波センサー部５は、発光素子から装着者の手首ＷＲに向けて検出光を照射し、手首ＷＲの血管で反射された反射光を受光素子で受光することにより、装着者の脈波を検出する。なお、検出光および反射光は、検出部としての窓部１３を介して出入射される。測定機器１は、光電脈波センサー部５で検出された脈波に基づいて、装着者の脈拍数を測定する。
【００６２】
タップ操作センサー部は、例えば加速度センサーで構成される。タップ操作とは、測定機器１を指や手のひら等で叩く操作のことである。装着者は、測定機器１を叩くタップ操作を行うことで、測定機器１を操作する。測定機器１は、装着者のタップ操作を、タップ操作センサー部のセンサー情報に基づいて検出する。測定機器１では、簡単な操作はタップ操作で行われ、測定機器１の各種設定や詳細な操作等は無線通信を介して外部機器により行われる。測定機器１は、このような構成により、操作のためのボタンやスイッチ類を不要にしている。なお、加速度センサーからの信号は、生体情報を検出する際に脈波信号に重畳される体動ノイズの抑制処理においても用いることができる。
【００６３】
測定機器１は、装着者が歩行や走行等の運動をする際だけでなく常に装着することにより、装着者の日常生活における生体情報を測定することを目的とする機器である。そのため、測定機器１には、長時間装着していても装着者の負担（例えば、機器の重さ、大きさ、形状や、締め付け力に起因する不快感）が少なく、かつ、装着者の姿勢や動作に関わらず安定した状態で生体情報を測定できることが求められる。測定機器１は、モニター部（ディスプレイ）、ボタンやスイッチ類を排することで、一般の測定機器と比べて、小型化および軽量化と電池の長寿命化とを可能にしている。また、装着者が運動時に脈拍数を測定する場合、検出部で検出された脈波には運動に起因する体動ノイズが重畳される。この体動ノイズが重畳された脈波信号から脈波成分だけを抽出するために、タップ操作センサー部の加速度センサーから出力される加速度信号を利用しても良い。これにより、タップ操作検出用の加速度センサーと脈波成分を抽出するための加速度センサーとを１つの加速センサーで共用することができ、低コスト化、小型化、電池の長寿命化を実現できる。
【００６４】
《ケース部およびバンドの構成》
図３は、ケース部、およびバックル部の概略構成を示す図であり、図３（ａ）は、測定機器の正面図、（ｂ）は側面図である。図３（ｃ）は、底面側（検出部）から見た平面図（背面図）である。続いて、図３ないし図６を参照して、ケース部１０およびバンド２０の構成を詳しく説明する。
【００６５】
図３（ａ）に示す正面視において、ケース部１０の上面１０ａ（図２参照）はバンド２０の本体部２１と一対のカバー部１６とで覆われている。また、正面視において、ケース部１０の側部１１はバンド２０の本体部２１で覆われている。従って、正面視においては、ケース部１０は露出していない。
カバー部１６は、Ｚ軸方向（正面方向）から見て、Ｙ軸方向に沿った上底と下底とを有する略台形状であり、互いの下底同士が対向するように配置されている。一対のカバー部１６同士の間には、Ｙ軸方向に沿って延在する開口部が設けられており、その開口部から発光部１４が露出している。
【００６６】
バンド２０の延在方向（Ｙ軸方向）における幅は、本体部２１において最も広い。本体部２１の幅は、ケース部１０の幅よりも広い。第１バンド部２２の幅は、本体部２１から離れるにしたがって細くなった後、所定の幅Ｗ１となる。第２バンド部２４の幅は、本体部２１から離れるにしたがって細くなった後、所定の幅Ｗ２となる。
【００６７】
図３（ｂ）に示す側面視において、ケース部１０の側部１１のうち、上面１０ａ側はバンド２０の本体部２１で覆われており底面１０ｂ側は露出している。底面１０ｂの中央部は略平坦な面となっており、側部１１の両端に位置する端部１２は、底面１０ｂから−Ｚ軸方向（手首ＷＲに装着される側）に張り出している。したがって、ケース部１０の底面１０ｂは中央部から端部１２に向かって凹状に湾曲した曲面部１７を有している。この曲面部１７の曲率半径は、本体部２１の表面２１ａの曲率半径よりも大きい。手首ＷＲに接する内面側の曲面部１７の曲率半径が外面側の表面２１ａの曲率半径よりも大きいため、光電脈波センサー部５（図２参照）の厚さ分を表面２１ａ（ケース部１０の上面１０ａ）側を膨らませることで吸収できるので、測定機器１の手首ＷＲへの密着性が損なわれない。そして、底面１０ｂの中央部には−Ｚ軸方向に張り出した検出部としての窓部１３が設けられている。
【００６８】
図３（ｃ）に示す底面１０ｂ側から見た平面視において、略長方形状のケース部１０がバンド２０の中程に設けられた開口部２１ｂ（図２参照）に嵌めこまれている。ケース部１０の外周はバンド２０で覆われており、底面１０ｂが露出している。底面１０ｂの中央部に設けられた窓部１３は、平面視において略円形状である。また、平面視において窓部１３の外側には、窓部１３の周りを囲うリング状の土手部１５が形成されている。
土手部１５は、ケース部１０と一体で形成されたリブであり、底面１０ｂから手首ＷＲ側に張り出した凸状に設けられている。
窓部１３は、透明な凸レンズ状の部材であり、好適例では、透明樹脂を用いている。光電脈波センサー部５（図２参照）の発光素子から発せられた光は窓部１３を透過して装着者の手首ＷＲに照射され、手首ＷＲの血管で反射された光は窓部１３を透過して光電脈波センサー部５の受光素子で受光される。そのため、光電脈波センサー部５により安定した状態で生体情報を検出するためには、装着状態において窓部１３（検出部）を装着者の手首ＷＲに密着させた状態で安定して保持することが望ましい。
【００６９】
第１バンド部２２は、手首ＷＲに面する側（内側、または内面）に、表面から窪んだ凹形状の複数の溝部２８を有している。第２バンド部２４は、手首ＷＲに面する側に、表面から窪んだ複数の溝部２９を有している。複数の溝部２８，２９は、例えば、それぞれがバンド２０の延在方向（Ｙ軸方向）に沿って延在し、Ｘ軸方向に略同一の間隔で並ぶように設けられている。なお、複数の溝部２８，２９は、ケース部１０を含む本体部２１のバンド２０側の端から延在され、バンド２０の延在方向の第１バンド部２２および第２バンド部２４のそれぞれの端部に開口するように設けられている。このように、溝部２８，２９がケース部１０を含む本体部２１の端から延在されていることから、ケース部１０を含む本体部２１に生じた汗や水分を溝部２８，２９から外部に逃がすことが可能となる。
【００７０】
図４を用いて溝部の詳細について説明する。図４は、溝部の詳細を示す拡大図であり、図４（ａ）は、バンドを手首ＷＲに面する側から見た平面図、図４（ｂ）は、図４（ａ）のＡ−Ａ断面図、図４（ｃ）は、図４（ａ）のＢ−Ｂ断面図である。なお、本説明では、第１バンド部２２に設けられている溝部２８を例に説明するが、第２バンド部２４に設けられている溝部２９についても同様な構成である。
【００７１】
図４では、三つの溝部２８が第１バンド部２２に設けられている例を示している。三つの溝部２８は、延出方向（Ｙ軸方向）に直交する方向（Ｘ軸方向）の寸法である幅Ｗ１０と、Ｚ軸方向に沿った寸法である深さＤ１で構成する仮想空間内に含まれるように構成される。換言すれば、三つの溝部２８は、幅Ｗ１０および深さＤ１によって、ケース部１０を含む本体部２１の端から、第１バンド部２２の端部まで設けられてもよい。また、第１バンド部２２における延出方向の中央部の幅Ｗ２０が、第１バンド部２２の端部における幅Ｗ１０よりも狭く形成されていてもよい。また、第１バンド部２２における延出方向の中央部の深さＤ２が、第１バンド部２２の端部における深さＤ１よりも浅く形成されていてもよい。
【００７２】
本形態においては、三つの溝部２８は、幅Ｗ１０および深さＤ１によって、ケース部１０を含む本体部２１の端から、第１バンド部２２の端部まで設けられており、Ｘ軸方向中央の溝部２８は、後述する第１プレート３１（図６参照）の爪部３５（図６参照）と係合するように第１バンド部２２に設けられている複数の穴部としての調整穴部２６と繋がっている。このように、溝部２８と調整穴部２６とが繋がっていることから、溝部２８に加えて溝部２８と繋がる調整穴部２６からも、汗や水分を外部に逃がすことができるため、装着者の装着部（生体）である手首ＷＲへの汗や水分の滞留を防止することができ、より快適な装着感を得ることができる。なお、穴部としての調整穴部２６と繋がっている構成の溝部２８であれば、調整穴部２６から汗や水分を外部に逃がすことができるため、溝部２８は、第１バンド部２２の端部に開口するように設けられていなくてもよく、第１バンド部２２内に溝部２８の端があってもよい。
【００７３】
発明者らは、溝部２８，２９の深さＤ１および幅Ｗ１０を所定の範囲に設定することにより、バンド２０の強度を確保しつつ、装着者の装着部（生体）である手首ＷＲへの汗や水分を、より効果的に外部に逃がすことが可能であることを見出した。以下図５を参照しながら溝部２８，２９の深さＤ１および幅Ｗ１０の好適な範囲について説明する。図５は、溝部２８，２９の深さＤ１および溝部２８，２９の幅Ｗ１０における適否の検証結果を示すグラフであり、図５（ａ）は、溝部２８，２９の深さＤ１の値ごとの判定を示し、図５（ｂ）は、溝部２８，２９の幅Ｗ１０の値ごとの判定を示している。
【００７４】
先ず、溝部２８，２９の深さＤ１は、図５（ａ）に示されているように、１０１０μｍ以下では、汗や水分の排出（放出）が十分に行われず、使用に不適であると判断された。これは、溝部２８，２９の深さＤ１が十分でなく、溝部２８，２９にくい込んだ手首ＷＲの皮膚によって溝部２８，２９が小さくなり、汗や水分の排出（放出）が困難になるものと推測される。また、深さＤ１が１１５０μｍ以上では、バンド２０の強度不足が顕著になり、負荷をかけた場合に亀裂や破損に至る虞があり、使用に不適であると判断された。
【００７５】
したがって、溝部２８，２９の深さＤ１は、上述のような使用に不適であると判断された範囲を除く領域での設定が可能となる。つまり、溝部２８，２９の深さＤ１は、１０２０μｍ以上１１４０μｍ以下であることが好ましい。このような、深さＤ１の溝部２８，２９を設けることにより、バンド２０の強度（耐久性）を低下させることなく、装着者の腕ＡＲの手首ＷＲに掻いた汗や手洗い時などに付着した水分を外部に十分に逃がすことができる。換言すれば、装着者の装着感を損ねることなく、バンド２０の変形などによって生じる検出部（センサー）としての窓部１３と生体（手首ＷＲの皮膚）との密着性が低下することによる、装着者の脈波等の生体情報（健康状態）の不正確な計測（把握）を防止することができる。
【００７６】
なお、溝部２８，２９の深さＤ１は、１０５０μｍ以上１１００μｍ以下であることが、さらに好ましい。このように、溝部２８，２９の深さＤ１を１０５０μｍ以上１１００μｍ以下とすることにより、さらに、溝部２８，２９内の通気性が向上し、汗や水分を外部に十分に逃がすことができる。
【００７７】
また、溝部２８，２９の深さＤ１は、１０６０μｍ以上１０８０μｍ以下であることが特に好ましい。このように、溝部２８，２９の深さＤ１を１０６０μｍ以上１０８０μｍ以下とすることにより、汗や水分を外部に十分に逃がすことができるとともに、バンドの柔らかさが増し、装着部（生体）とのフィット感（装着感）を高めることができる。
【００７８】
次に、溝部２８，２９の幅Ｗ１０は、図５（ｂ）に示されているように、９００μｍ以下では、汗や水分の排出（放出）が十分に行われず、使用に不適であると判断された。これは、溝部２８，２９の幅Ｗ１０が十分でなく、溝部２８，２９にくい込んだ手首ＷＲの皮膚によって溝部２８，２９の断面積が小さくなり、汗や水分の排出（放出）が困難になるものと推測される。また、幅Ｗ１０が２３１０μｍ以上では、バンド２０の強度不足が顕著になり、負荷をかけた場合に亀裂や破損に至る虞があることに加え、溝部２８，２９を形成する土手状の壁部の厚さが小さくなり、この壁部に検出部としての窓部１３を密着させるための圧力が集中してしまうことによって手首ＷＲへのくい込みが大きくなり、装着感を低下させてしまうことから使用に不適であると判断された。
【００７９】
したがって、溝部２８，２９の幅Ｗ１０は、上述のような使用に不適であると判断された範囲を除く領域での設定が可能となる。つまり、溝部２８，２９の幅Ｗ１０は、９１０μｍ以上２３００μｍ以下であることが好ましい。このような、幅Ｗ１０の溝部２８，２９を設けることにより、バンド２０の強度（耐久性）を低下させることなく、装着者の腕ＡＲの手首ＷＲに掻いた汗や手洗い時などに付着した水分を外部に十分に逃がすことができる。換言すれば、装着者の装着感を損ねることなく、バンド２０の変形などによって生じる検出部（センサー）としての窓部１３と生体（手首ＷＲの皮膚）との密着性が低下することによる、装着者の脈波等の生体情報（健康状態）の不正確な計測（把握）を防止することができる。
【００８０】
なお、溝部２８，２９の幅Ｗ１０は、９５０μｍ以上２０００μｍ以下であることが、さらに好ましい。このように、溝部２８，２９の幅Ｗ１０を９５０μｍ以上２０００μｍ以下とすることにより、さらに、溝部２８，２９内の通気性が向上し、汗や水分を外部に十分に逃がすことができる。
【００８１】
また、溝部２８，２９の幅Ｗ１０は、１０００μｍ以上１７００μｍ以下であることが特に好ましい。このように、溝部２８，２９の幅Ｗ１０を１０００μｍ以上１７００μｍ以下とすることにより、汗や水分を外部に十分に逃がすことができるとともに、バンドの柔らかさが増し、加えて溝部２８，２９により形成される土手状の壁部（装着者の装着部（生体）との接触部）の幅が大きくなることにより、装着者の装着部（生体）への壁部の食い込みを減少させることができ、装着者のフィット感（装着感）を高めることができる。
【００８２】
バンド２０は、第１バンド部２２と第２バンド部２４とを含んでおり、第１バンド部２２、および第２バンド部２４に溝部２８，２９を設けることにより、バンド２０全体から汗や水分を逃がすことが可能となる。また、装着感を損なうことなく検出部（センサー）としての窓部１３を装着部（手首ＷＲ）に、容易に密着させることができる。
【００８３】
また、第１バンド部２２および第２バンド部２４が複数の溝部２８，２９を有していることにより、装着状態において装着者の手首ＷＲに接する第１バンド部２２および第２バンド部２４の実質的な面積を小さくできる。
また、複数の溝部２８，２９をバンド２０の延在方向（Ｙ軸方向）に沿って設けることで、装着状態における測定機器１の幅方向（Ｙ軸方向と交差するＸ軸方向）のずれを抑止できる。
【００８４】
《バックル部の構成》
図６および図７を参照して、測定機器１のバックル部の構成およびバンドとの接続構造について説明する。図６および図７は、バックル部の構成およびバンドとの接続構造を示す図である。詳しくは、図６（ａ）は、開放状態におけるバックル部の側面図である。図６（ｂ）は、第１プレートに第１バンド部が接続された状態のバックル部を内側から見た斜視図である。図６（ｃ）は、図６（ｂ）の状態を外側から見た平面図である。図７（ａ）は第２プレートに第２バンド部が接続された状態のバックル部を内側から見た斜視図である。図７（ｂ）は、装着状態におけるバンドおよびバックル部の側面図である。図７（ｃ）は、図７（ｂ）の状態を外側から見た平面図である。なお、図７（ｂ）には、装着者の手首ＷＲの断面を２点鎖線で模式的に示している。
【００８５】
また、図９を参照して、他の構成のバックル部を有する測定機器１Ａのバックル部の構成およびバンドとの接続構造について説明する。図９は、測定機器１Ａの他の構成のバックル部の構成およびバンドとの接続構造を示す斜視図である。
【００８６】
先ず、図６および図７を参照して、バックル部３０の構成およびバンド２０との接続構造について説明する。図６（ａ）に示すように、バックル部３０において、第１プレート３１の一端と第２プレート３２の一端とがヒンジ部３３で互いに回動可能に軸支されている。第１プレート３１は、他端に設けられたガイド部３４と、内側に延出する爪部３５と、外側に延出する爪部３６とを有している。第２プレート３２は、他端に設けられた接続部３７と、開放状態において内側に突出する凸状部３８とを有している。
【００８７】
バックル部３０は、ヒンジ部３３を回動軸として第２プレート３２の接続部３７側を矢印の方向に回動させ、図６（ｂ）に示すように、第２プレート３２が第１プレート３１の外側に重なるように折り畳むことで装着状態となる。装着状態では、第１プレート３１の爪部３６と、第２プレート３２の凸状部３８とが係合することにより、バックル部３０が折り畳まれた装着状態が保持される。また、凸状部３８の隣には、位置決め穴３９が形成されている。位置決め穴３９は、第２プレート３２の延在方向に沿った略長方形の穴である。
【００８８】
図７（ｂ）に示す装着状態においては、第１バンド部２２が最も手首ＷＲ側（内側）に配置され、手首ＷＲとは反対側（外側）に向かって、第１プレート３１、第２プレート３２、第２バンド部２４の順に配置される。この装着状態から、第１プレート３１の爪部３６と第２プレート３２の凸状部３８との係合を外し、第２プレート３２の接続部３７側を第１プレート３１から離間して外側へ展開することで、図６（ａ）に示す開放状態となる。
【００８９】
図６（ｂ）および図６（ｃ）に示すように、第１バンド部２２は、複数の調整穴部２６のいずれかが第１プレート３１の爪部３５と係合することにより、第１プレート３１に接続される。爪部３５と係合する調整穴部２６を適宜選択することにより、装着状態におけるバンド２０の実質的な長さが調整でき、これによりバンド２０による締め付け力を調整することができる。また、開放状態においても調整穴部２６と爪部３５とが係合し第１バンド部２２と第１プレート３１とが接続された状態で保持されるので、一旦バンド２０による締め付け力を調整すれば、手首ＷＲへの着脱を繰り返しても調整した締め付け力が再現される。
【００９０】
図６（ｂ）に示すように、第１バンド部２２の先端部２３は、内側、すなわち第１プレート３１とは反対側に曲げられている。そのため、開放状態から第１プレート３１と第２プレート３２とを折り畳んで装着状態にする際に、先端部２３が第１プレート３１側（外側）に反り返って、第１バンド部２２と第１プレート３１との間や、第２バンド部２４と第２プレート３２（図７（ｂ））との間に巻き込まれてしまうことを抑止できる。
【００９１】
図７（ａ）に示すように、第２バンド部２４は、第２プレート３２の接続部３７と接続部２７とがピン等により回動可能に軸支されることにより、第２プレート３２に接続される。第２バンド部２４の先端部２５は、内側、すなわち手首ＷＲ側に曲げられている。また、第２バンド部２４には、折り畳み時において第２プレート３２の位置決め穴３９と重なる位置に、凸形状４０が形成されている。バックル部３０が折り畳まれて、第２プレート３２と第２バンド部２４とが重なると、位置決め穴３９に凸形状４０が勘合される。これにより、第２バンド部２４の幅方向における両者の位置ズレを抑制することができる。上述したように、図７（ｂ）に示す装着状態において、第２バンド部２４は最も外側に配置される。その第２バンド部２４の先端部２５が内側に曲げられているので、装着状態において、先端部２５が衣類の袖等へ引っ掛かることが抑えられる。
【００９２】
また、図７（ｂ）に示すように、第２バンド部２４には、装着時において、爪部３６と重なる位置に、凹形状４１が形成されている。凹形状４１は、第２バンド部２４の幅方向の中程に窪み状（図示せず）に形成されており、爪部３６と凸状部３８とによる出っ張りを逃げている。これにより、第２バンド部２４の浮き上がりを抑制している。
【００９３】
図７（ｃ）に示すように、第１バンド部２２の幅Ｗ１と第２バンド部２４の幅Ｗ２とは、Ｗ１＜Ｗ２の関係にある。すなわち、装着状態において内側に配置される第１バンド部２２の幅Ｗ１よりも外側に配置される第２バンド部２４の幅Ｗ２の方が広い（大きい）。また、バックル部３０の最も幅が広い部分（本実施形態では、ガイド部３４）の幅をＷ３とすると、Ｗ３＜Ｗ２であることが好ましい。すなわち、装着状態において第２バンド部２４よりも内側に配置されるバックル部３０の幅Ｗ３よりも、第２バンド部２４の幅Ｗ２の方が広い（大きい）ことが好ましい。
【００９４】
最も外側に配置される第２バンド部２４の幅Ｗ２が、第１バンド部２２の幅Ｗ１およびバックル部３０の幅Ｗ３よりも広いと、第１バンド部２２とバックル部３０が第２バンド部２４で覆われる。これにより、装着状態において、金属材料からなるバックル部３０の衣類の袖等への引っ掛かりや障害物等への接触が抑えられ、見栄えも向上する。
【００９５】
ここで、第１バンド部２２および第２バンド部２４の少なくとも互いに接触する部分には、シボ加工、つまり凹凸加工が施されていることが好ましい。互いに接触する部分にシボ加工が施されていると、第１バンド部２２と第２バンド部２４とが互いに擦れ合う際の摩擦力が低減されて滑り易くなる。そのため、シボ加工が施されていない場合と比べて、装着する際の第１バンド部２２の先端部２３や第２バンド部２４の先端部２５の巻き込みが抑えられる、測定機器１の着脱を容易に行うことができる。
【００９６】
また、第１バンド部２２および第２バンド部２４の手首ＷＲに接する部分にも、シボ加工が施されていることが好ましい。手首ＷＲに接する部分にシボ加工が施されていると、シボ加工が施されていない場合と比べて、第１バンド部２２および第２バンド部２４の単位面積当たりの実質的な接触面積を小さくできる。これにより、装着状態において、第１バンド部２２および第２バンド部２４が手首ＷＲに密着することによる装着者の不快感を抑えることができる。
【００９７】
次に、図９を参照して、他の構成のバックル部を有する測定機器１Ａの装着状態について説明する。図９に示すように、測定機器１Ａは、機器本体であるケース部１０と、ケース部１０を手首ＷＲ（図１０参照）に固定するバンド２０Ａと、バンド２０Ａに接続するバックル部３０Ａと、を備えている。
【００９８】
バンド２０Ａは、Ｙ軸方向に沿ってケース部１０の正面側を覆うとともにケース部１０の両側から延出されている。バンド２０Ａは、ケース部１０の配置された部分から一端側に伸びる第１バンド部２２Ａと、他端側に伸びる第２バンド部２４Ａとを備えている。単品（初期）状態におけるバンド２０Ａは、側面視において、その中程であるケース部１０の配置部を頂部として、左右に第１バンド部２２Ａと、第２バンド部２４Ａとが垂れ下がる逆Ｕ字状の形状となっている。そして、第２バンド部２４Ａの端部には、バックル部３０Ａおよび遊革３３Ａが設けられている。
【００９９】
バックル部３０Ａは、第２バンド部２４Ａの端部に備えられている軸ピン（同図では図示せず）によって回転自在に設けられた美錠３１Ａおよびつく棒３２Ａを有している。そして、バックル部３０Ａは、美錠３１Ａ内でつく棒３２Ａを第１バンド部２２Ａに形成された装着穴２６Ａに挿入することによって、第１バンド部２２Ａと連結することができる。即ち、第１バンド部２２Ａと第２バンド部２４Ａとを連結することができる。このように、バックル部３０Ａは、バンド２０Ａ全体の長さを調整する機能をもつ部品である。また、遊革３３Ａは、バックル部３０Ａよりケース部１０側の第２バンド部２４Ａに移動可能に装着され、第１バンド部２２Ａの端部（剣先）を保持する機能をもつ環状の部品である。
【０１００】
《測定機器の装着》
次に、図８を参照して、測定機器１の装着状態について説明する。図８は、測定機器の装着状態を示す側面図である。また、図１０を参照して、他の構成のバックル部を有する測定機器１Ａの装着状態について説明する。図１０は、他の構成のバックル部を有する測定機器１Ａの装着状態における側面図である。
【０１０１】
先ず、測定機器１の装着状態について説明する。図８に示すように、測定機器１は、バックル部３０を折り畳むことによって、手首ＷＲに装着される。測定機器１は、検出部（センサー）としての窓部１３を手首ＷＲに適度な強さで密着させるために必要な締め付けを行って装着されている。つまり、検出部（センサー）としての窓部１３と手首ＷＲとの密着性を確保するために、内周７２の長さを手首ＷＲの周囲長さよりも、若干短く設定する。そして、バックル部３０と調整穴との位置設定、およびバンド２０の弾性による適度な押圧力によって、検出部（センサー）としての窓部１３を手首ＷＲに適度な強さで密着させることができる。
【０１０２】
このように、測定機器１を装着する際には、バックル部３０を伸ばして長くした状態とし、この状態で形成される環状の大きな開口部に、手をすぼめて挿入した後、手首ＷＲの装着位置でバックル部３０を折り畳んで短くすることにより、測定機器１を簡便に装着することができる。よって、測定機器１によれば、生体情報を安定的に測定するために必要な密着性（装着性）を確保することができる。また、着脱を繰り返しても、生体情報を安定的に測定可能な測定機器１を提供することができる。
【０１０３】
次に、図１０を参照して他の構成のバックル部を有する測定機器１Ａの装着状態について説明する。図１０に示すように、測定機器１Ａは、第１バンド部２２Ａと第２バンド部２４Ａとをバックル部３０Ａによって連結することで手首ＷＲに装着される。具体的に説明すると、バンド２０Ａによって、測定機器１Ａを手首ＷＲに装着する場合には、第２バンド部２４Ａに軸ピン３４Ａを介して回動可能に設けられた美錠３１Ａ内に第１バンド部２２Ａの端部（剣先）を挿入し、所定の密着力を確保した状態の位置において、軸ピン３４Ａを軸として回動可能に装着された受け部３５Ａを介したつく棒３２Ａを装着穴２６Ａに挿過する。
【０１０４】
このように、測定機器１Ａは、検出部（センサー）としての窓部１３（図示せず）を手首ＷＲに適度な強さで密着させるために必要な締め付けを行って装着される。つまり、つく棒３２Ａと装着穴２６Ａとの位置設定、およびバンド２０Ａの弾性による適度な押圧力によって、検出部（センサー）としての窓部１３を手首ＷＲに適度な強さで密着させることができる。
【０１０５】
以上説明した実施形態１にかかる生体情報測定機器１（測定機器１または測定機器１Ａ）によれば、バンド２０を構成する第１バンド部２２、および第２バンド部２４に溝部２８，２９が設けられていることにより、バンド２０と手首ＷＲなどから汗や水分を逃がすことが可能となる。また、溝部２８，２９が設けられていることにより、バンド２０と装着部（皮膚）との接触面積を減少させることができるため、汗を掻き難くすることができる。これらにより、検出部（センサー）としての窓部１３の設けられているケース部１０の裏面に汗や水分が流れ出し難くなり、汗や水分の窓部１３への付着によって生じる計測精度の低下を抑制することが可能となる。また、汗や水分の滞留による不快感の予防が可能となり、装着感を損なうことなく検出部（センサー）としての窓部１３を装着部（手首ＷＲ）に、容易に密着させることができる。
【０１０６】
《溝部の変形例》
上述の実施形態では、第１バンド部２２および第２バンド部２４のそれぞれに、三つの溝部２８，２９が、バンド２０の延在方向（Ｙ軸方向）に沿って延在し、Ｘ軸方向に略同一の間隔で並ぶように設けられている例を示して説明したが、溝部２８，２９の構成はこれに限らない。例えば、以下に挙げる変形例の構成であっても、上述と同様な効果を奏する。以下、図１１、図１２、および図１３を用いて、順次変形例について説明する。図１１（ａ）〜図１１（ｅ）は、溝部の変形例を示す平面図である。図１２は、溝部の他の変形例を示し、図１２（ａ）は平面図、図１２（ｂ）は溝部の側断面図である。図１３は、溝部の変形例を示す断面図である。なお、以下の説明では、溝部２８を代表例として説明するが、溝部２９においても同様な構成を用いることができる。
【０１０７】
（変形例１）
図１１（ａ）に示す変形例１は、バンド２０の延在方向（Ｙ軸方向）に交差する方向（Ｘ軸方向）に沿って複数の溝部２８が、Ｙ軸方向に略同一の間隔で並ぶように第１バンド部２２に設けられている。ここで、溝部２８の幅Ｗ１０および深さＤ１（図示せず）は、前述の第１実施形態と同様の構成としている。なお、溝部２８どうしの間隔は、必ずしも略同一間隔でなくてもよく、例えばケース部１０（図１参照）側から先端部に向かって順次間隔を狭くする構成や手首ＷＲに密着する部位の間隔を狭くして溝部２８の本数を増やして通気性をよくする構成などであってもよい。
【０１０８】
このような変形例１の溝部２８を設けることにより、例えば腕部ＡＲの手首ＷＲ（図１参照）などの曲面に装着する場合におけるバンドの変形を起こし易くでき、装着感（フィット感）を向上させることができる。
【０１０９】
（変形例２）
図１１（ｂ）に示す変形例２は、第１バンド部２２の幅方向（Ｘ軸方向）の中央部にバンド２０の延在方向（Ｙ軸方向）に沿って延在する第１の溝部２８ａと、第１の溝部２８ａに交差する２方向（本例では、ＸＹ方向および−ＸＹ方向）に沿って延在し、Ｙ軸方向に並ぶ複数の第２の溝部２８ｂとが設けられている。そして、第１の溝部２８ａと第２の溝部２８ｂとが接続され、所謂格子状（網目状（メッシュ状））に構成されている。ここで、第１の溝部２８ａおよび第２の溝部２８ｂの幅Ｗ１０および深さＤ１（図示せず）は、前述の第１実施形態と同様の構成としている。なお、第１の溝部２８ａは、複数設けられていてもよい。また、第２の溝部２８ｂは、一つ以上であればよく、また、１方向（例えば、ＸＹ方向から−Ｘ−Ｙ方向）の第２の溝部２８ｂが第１の溝部２８ａと交差する構成であってもよい。
【０１１０】
（変形例３）
図１１（ｃ）に示す変形例３は、第１バンド部２２の幅方向（Ｘ軸方向）を斜めに横切って延在する複数の溝部２８が、略同一の間隔で並ぶように第１バンド部２２に設けられている。ここで、溝部２８の幅Ｗ１０および深さＤ１（図示せず）は、前述の第１実施形態と同様の構成としている。なお、溝部２８どうしの間隔は、変形例１と同様に必ずしも略同一間隔でなくてもよい。また、傾斜の方向（傾き）についても問わない。
【０１１１】
（変形例４）
図１１（ｄ）に示す変形例４は、第１バンド部２２の延在方向（Ｙ軸方向）に沿って延在する二つの第１の溝部２８ａと、第１の溝部２８ａに交差する方向（本例では、Ｘ軸方向）に沿って延在し、Ｙ軸方向に並ぶ複数の第２の溝部２８ｂとが、第１バンド部２２に設けられている。そして、第１の溝部２８ａと第２の溝部２８ｂとは、接続されている。ここで、第１の溝部２８ａおよび第２の溝部２８ｂの幅Ｗ１０および深さＤ１（図示せず）は、前述の第１実施形態と同様の構成としている。なお、第１の溝部２８ａは、一つ以上設けられていればよく、第２の溝部２８ｂは、一つであってもよい。また、第２の溝部２８ｂは、略同一の間隔であってもよいし、異なる間隔であってもよい。
【０１１２】
（変形例５）
図１１（ｅ）に示す変形例５は、第１バンド部２２の延在方向（Ｙ軸方向）に沿って曲線状（波線状）に延在する二つの溝部２８ｃが、第１バンド部２２に設けられている。ここで、溝部２８ｃの幅Ｗ１０および深さＤ１（図示せず）は、前述の第１実施形態と同様の構成としている。なお、図示はしないが、溝部２８ｃと交差する方向に延在された第２の溝部と組み合わせた構成（変形例４に倣った構成）であってもよい。
【０１１３】
（変形例６）
図１２に示す変形例６は、変形例１で説明した配置の溝部２８ｄが設けられている。図１２（ａ）に示すように、溝部２８ｄは、第１バンド部２２の幅方向（Ｘ軸方向）の中央部２２ｃから両側の端部２２ａ，２２ｂに向かって溝部２８ｄの幅寸法が大きくなっている。すなわち、溝部２８ｄは、中央部２２ｃの部分の幅Ｗ２０が最も小さく、両側の端部２２ａ，２２ｂに向かって順次幅寸法が大きくなり、両側の端部２２ａ，２２ｂに達し、開口する部分の幅Ｗ１０が最も大きな形状をなしている。なお、本例では、溝部２８ｄの両側の側壁は、平面視で円弧状をなしているが、直線あるいは直線と曲線の混在などであってもよい。
【０１１４】
また、図１２（ｂ）に示すように、溝部２８ｄは、第１バンド部２２の厚み方向（Ｚ軸方向）においても、第１バンド部２２の幅方向（Ｘ軸方向）の中央部２２ｃから両側の端部２２ａ，２２ｂに向かって溝部２８ｄの深さ寸法が大きくなっている。すなわち、溝部２８ｄは、中央部２２ｃの部分の深さＤ２が最も浅く、両側の端部２２ａ，２２ｂに向かって順次深さ寸法が大きくなり、両側の端部２２ａ，２２ｂに達し、開口する部分の深さＤ１が最も深くなっている。なお、本例では、溝部２８ｄの底部が直線をなしているが、曲線あるいは直線と曲線の混在となっていてもよい。
【０１１５】
なお、溝部２８ｄは、前述の第１実施形態で説明したように、幅Ｗ１０と、深さＤ１とで構成する仮想空間内に含まれるように構成される。換言すれば、溝部２８ｄは、幅Ｗ１０および深さＤ１が最大寸法となるように形成される。このような溝部２８ｄによれば、バンド２０の端部２２ａ，２２ｂの開口面積が大きくなることから、より通気性を向上させることが可能となり、汗や水分を外部に逃がし易くすることができる。
【０１１６】
（変形例７）
図１３に示す変形例７は、溝部２８ｆを設けることによって形成される土手状の壁部の頂部Ｒを円弧状に形成している。また、溝部２８ｆの底部から第１バンド部２２を貫通する穴部４６が設けられている。
【０１１７】
このような構成によれば、円弧状の頂部Ｒが手首ＷＲと接触することにより装着感を高めることができる。また、溝部２８ｆに加え、溝部２８ｆと繋がる穴部４６からも、汗や水分を外部に逃がすことができるため、装着部（生体）への汗や水分の滞留を防止することができ、より快適な装着感を得ることができる。
【０１１８】
なお、穴部４６と繋がっている構成の溝部２８ｆであれば、穴部４６から汗や水分を外部に逃がすことができるため、溝部２８ｆは、第１バンド部２２の端部まで設けられていなくてもよく、第１バンド部２２内に溝部２８ｆの端が設けられている構成でもよい。
【０１１９】
（実施形態２）
次に、本発明の実施形態２について図面を用いて説明する。
実施形態２に係る生体情報測定機器（以下では、測定機器という）は、前述の実施形態と同様に、生体情報を測定される生体（例えば人体）に装着され、脈波や脈拍（心拍数）等の生体情報を測定する心拍数監視装置である。なお、以下に示す各図においては、各構成要素を図面上で認識され得る程度の大きさとするため、各構成要素の寸法や比率を実際の構成要素とは適宜に異ならせて記載する場合がある。
【０１２０】
まず、実施形態２に係る生体情報測定機器としての心拍数監視装置１０１０について説明する前に、図１４を用いて実施形態２に係る生体情報測定機器としての心拍数監視装置の従来例について説明する。
【０１２１】
図１４は、心拍数監視装置を装着しているユーザー（被験者）１０００（同図では、ユーザーの腕を示す）の、生理的パラメーター（生体情報）を測定する従来例の生体情報測定機器としての心拍数監視装置１０１０を示す断面図である。心拍数監視装置１０１０は、ユーザー１０００の少なくとも一つの生理的パラメーターとしての心拍数を計測するセンサー１０１２と、センサー１０１２を収納しているケース１０１４を備えている。心拍数監視装置１０１０は、固定部１０１６（例えばバンド）によって、ユーザー１０００の腕１００１に装着される。
【０１２２】
このセンサー１０１２は、二つのセンサーエレメントである発光素子１１２１および受光素子１１２２を備え、心拍数を測定するかまたはモニターするための心拍数監視センサーである。しかし、一つ以上の生理的パラメーター（例えば心拍数、血圧、呼気量、皮膚伝導率、皮膚湿度など）を測定するセンサーであってもよい。また、ケース１０１４が、バンドタイプのハウジングを備えている場合は、例えばスポーツにおいて使われる腕時計型の監視装置として用いることができる。なお、ケース１０１４の形は、主にユーザー１０００に関して所望の位置でセンサー１０１２を保持することができればよく、任意に電池、処理ユニット、表示、ユーザー・インターフェイスなどのような更なる要素を収納することができてもよい。
【０１２３】
従来例の生体情報測定機器は、ユーザーの心拍数をモニターするための心拍数監視装置１０１０である。そして、センサー１０１２は発光素子１１２１および受光素子１１２２から成る光学センサーである。光学センサーを用いた光学的心拍数モニターは、皮膚に光をあてる光源としての発光素子１１２１（通常ＬＥＤが用いられる）に依存する。発光素子１１２１から皮膚に照射された光は、皮膚下の血管を流れる血液によって一部が吸収されるが、残りの光は反射され皮膚を出る。そして、反射された光は、受光素子１１２２（通常フォトダイオードが用いられる）によって、捕捉される。受光素子１１２２からの受光信号は、血管を流れる血液量に相当する情報を含む信号である。血管を流れる血液量は、心臓の脈動によって変化する。そして、このように、受光素子１１２２上の信号は心臓の拍動に対応して変化する。つまり、受光素子１１２２の信号の変化は、心拍数のパルスに相当するものである。そして、単位時間当たりパルス数を計数することによって（例えば１０秒当たり）、心臓が１分間に打つ数（すなわち心拍数）が得られる。
【０１２４】
以下、図１５を用いて実施形態２に係る生体情報測定機器としての心拍数監視装置１０２０について説明する。図１５は、実施形態２に係る生体情報測定機器としての心拍数監視装置を示す斜視図である。
【０１２５】
実施形態２に係る生体情報測定機器としての心拍数監視装置１０２０は、図１５では図示していないが、前述の実施形態１と同様に、バンドなどの固定部によって、被験者の腕に装着される。そして、バンドの内側（被験者の腕側の面）には、上述の実施形態１と同様な溝部が設けられており、設けられた溝部によって皮膚と外部との通気性をよくすることにより被験者の汗や付着した水分を外部に逃がすことができ、水滴の滞留による被験者の不快感を低減することができる。なお、溝部の構成については、実施形態１と同様であるので、ここでの説明を省略する。
【０１２６】
実施形態２に係る生体情報測定機器としての心拍数監視装置１０２０は、少なくとも二つのセンサーエレメントを備えたセンサー１０２２（本例では、三つのセンサーエレメントとして、第１の発光部および第２の発光部としての二つの発光素子１２２１，１２２３と、受光部としての受光素子１２２２とを用いている）を有している。センサーエレメントは、センサー信号を検出する。センサー１０２２は、ユーザーの皮膚に対して発光するための二つのＬＥＤを用いた発光素子１２２１，１２２３から成る光学センサーと、皮膚から反射した光を受信するための少なくとも一つの受光素子１２２２（フォトダイオード）とを備えている。さらに、心拍数監視装置１０２０は、ケースまたはハウジング（図示せず）を有している。ケースまたはハウジングは、図１４に示されるケース１０１４と類似、あるいは同一でもよいし、上述の実施形態１におけるケース部１０と類似、あるいは同一でもよい。
【０１２７】
そして、センサー１０２２は、キャリア（基板）１０２６の一面に担持されている。発光素子１２２１，１２２３から射出された光は、皮膚などに吸収されずに反射され、受光素子１２２２に直接到達することができる。心拍数監視装置１０２０において、キャリア１０２６と発光素子１２２１，１２２３の上面１２２１ａ，１２２３ａとの間の距離は、キャリア１０２６と受光素子１２２２の上面１２２２ａとの間の距離より小さい。すなわち、キャリア１０２６と発光素子１２２１，１２２３の上面１２２１ａ，１２２３ａとの間の距離と、キャリア１０２６と受光素子１２２２の上面１２２２ａとの間の距離との差が、Δｈである。そして、受光素子１２２２は、一番上の表層であるその上面１２２２ａから光を受信する。それらの構成によれば、発光素子１２２１，１２２３から射出された光の大部分は皮膚に向かい、反射光は、空気層などの介入なしに直接受光素子１２２２に入射される効果がある。換言すれば、受光素子１２２２が皮膚に密着する構造であるため、受光素子１２２２の上面（受光面）１２２２ａと皮膚との間に隙間が生じにくい構造とすることができ、これにより外光などのノイズ源となる光が上面１２２２ａに入射することを抑制することができる。また、皮膚を通過しない発光素子１２２１，１２２３からの光、例えば発光素子１２２１，１２２３から直接受光素子１２２２に入射する光は、受光素子１２２２の上面１２２２ａに到達することができない。
【０１２８】
（実施形態３）
次に、図１６を参照して実施形態３に係る生体情報測定機器としての心拍数監視装置１０３０について説明する。図１６は、実施形態３に係る生体情報測定機器としての心拍数監視装置を示す正面図である。
【０１２９】
なお、実施形態３に係る生体情報測定機器としての心拍数監視装置１０３０は、図１６では図示していないが、前述の実施形態１と同様に、バンドなどの固定部によって、被験者の腕に装着される。そして。バンドの内側（被験者の腕側の面）には、上述の実施形態１と同様な溝部が設けられており、設けられた溝部によって皮膚と外部との通気性をよくすることにより被験者の汗や付着した水分を外部に逃がすことができ、水滴の滞留による被験者の不快感を低減することができる。なお、溝部の構成については、実施形態１と同様であるので、ここでの説明を省略する。
【０１３０】
図１６に示すように、発光素子１２２１，１２２３および受光素子１２２２の電気的接続端子１０３４は、電気的要素の保護のために絶縁性材料（例えばエポキシ樹脂）１０３２で、好ましくは覆われていなければならない。また、絶縁性材料１０３２が発光素子１２２１，１２２３や受光素子１２２２を覆わないように構成することができる。具体的には、発光素子１２２１と受光素子１２２２との間の領域、発光素子１２２３と受光素子１２２２との間の領域を絶縁性材料１０３２で埋めるように構成することができる。換言すれば、少なくとも受光素子１２２２の上面１２２２ａ、発光素子１２２１，１２２３の上面１２２１ａ，１２２３ａが絶縁性材料１０３２に覆われないように構成することができる。このように構成することで、皮膚と発光素子１２２１，１２２３との間のエアギャップによる妨害を抑制することができる。さらに、絶縁性材料１０３２が発光素子１２２１，１２２３の上面１２２１ａ，１２２３ａや受光素子１２２２の上面１２２２ａを覆うように構成しても良い。このように構成することで、皮膚と接触する受光素子１２２２の上面１２２２ａや、発光素子１２２１，１２２３の上面１２２１ａ，１２２３ａを保護することができるので、受光素子１２２２の上面１２２２ａや、発光素子１２２１，１２２３の上面１２２１ａ，１２２３ａの損傷を防ぐことができる。この場合、絶縁性材料１０３２は保護膜とみなすこともできる。
【０１３１】
本実施形態３に係る生体情報測定機器としての心拍数監視装置１０３０では、一般に可能性がある実施例として、エポキシ樹脂を用いた絶縁性材料１０３２を設けている。図１６においては、絶縁性材料１０３２は、発光素子１２２１，１２２３の上面１２２１ａ，１２２３ａを覆うことなく配置され、電気的接続端子１０３４を保護する。発光素子１２２１，１２２３から射出されている光は、矢印にて表される。
【０１３２】
このように、絶縁性材料１０３２の配置は、心拍数監視装置１０３０の正しい機能を妨げない程度の最小限で行うことにより、発光素子１２２１，１２２３および受光素子１２２２の電気的接続端子１０３４を保護することで、この心拍数監視装置１０３０は更に改良されることができる。なお、本実施形態３におけるエポキシ樹脂を注入する構成に変えて、図１７に示すような実施形態４に係る生体情報測定機器としての心拍数監視装置１０４０とすることがさらに好適である。
【０１３３】
（実施形態４）
次に、実施形態４に係る生体情報測定機器としての心拍数監視装置１０４０について、図１７を参照して説明する。図１７は、実施形態４に係る生体情報測定機器としての心拍数監視装置を示す斜視図である。
【０１３４】
なお、実施形態４に係る生体情報測定機器としての心拍数監視装置１０４０は、図１７では図示していないが、前述の実施形態１と同様に、バンドなどの固定部によって、被験者の腕に装着される。そして。バンドの内側（被験者の腕側の面）には、上述の実施形態１と同様な溝部が設けられており、設けられた溝部によって皮膚と外部との通気性をよくすることにより被験者の汗や付着した水分を外部に逃がすことができ、水滴の滞留による被験者の不快感を低減することができる。なお、溝部の構成については、実施形態１と同様であるので、ここでの説明を省略する。
【０１３５】
実施形態４に係る生体情報測定機器としての心拍数監視装置１０４０は、作成されたフレーム１０４１，１０４２，１０４３が配置される。フレーム１０４１，１０４２，１０４３は、発光素子１２２１，１２２３および受光素子１２２２の周囲に配置され、フレーム１０４１，１０４２，１０４３と、発光素子１２２１，１２２３および受光素子１２２２との間の隙間１０３６が形成される。そして、フレーム１０４１，１０４２，１０４３をガイドとして絶縁性材料（図１７では図示されない）が注入され、発光素子１２２１，１２２３および受光素子１２２２の電気的接続端子１０３４を覆う。
【０１３６】
実施形態４に示す例では、発光素子１２２１，１２２３および受光素子１２２２は、個々のフレーム１０４１，１０４２，１０４３によって囲まれる。なお、他の例としては、すべてのフレーム１０４１，１０４２，１０４３は、互いに結合されてもよく、または、すべてのセンサーエレメントは一体のフレームによって囲まれてもよい。
【０１３７】
心拍数監視装置１０４０の機能に影響を及ぼさないための改善点として、発光素子１２２１，１２２３のまわりのフレーム１０４１，１０４３の上部エッジ１０４１ａ，１０４３ａは、好ましくは発光素子１２２１，１２２３の上面１２２１ａ，１２２３ａより低いことが好ましい。換言すれば、個別のフレーム１０４１，１０４３の上部エッジ１０４１ａ，１０４３ａとキャリア１０２６との距離ｈＦＲ−ＬＥＤは、個別のフレーム１０４１，１０４３で囲まれている発光素子１２２１，１２２３の上面１２２１ａ，１２２３ａとキャリア１０２６との距離ｈＬＥＤと、同じか小さい（ｈＦＲ−ＬＥＤ≦ｈＬＥＤ）。
好ましくは、発光素子１２２１，１２２３の上面１２２１ａ，１２２３ａとキャリア１０２６との距離ｈＬＥＤと、フレーム１０４１，１０４３の上部エッジ１０４１ａ，１０４３ａとキャリア１０２６との距離ｈＦＲ−ＬＥＤとの差は、０．１ｍｍから０．８ｍｍの範囲に設定する。なお、さらに好ましくは、発光素子１２２１，１２２３の上面１２２１ａ，１２２３ａとキャリア１０２６との距離ｈＬＥＤと、フレーム１０４１，１０４３の上部エッジ１０４１ａ，１０４３ａとキャリア１０２６との距離ｈＦＲ−ＬＥＤとの差は、０．２ｍｍから０．５ｍｍの範囲に設定する。
【０１３８】
また、受光素子１２２２のまわりのフレーム（レシーバーフレーム）１０４２の上部エッジ１０４２ａは、好ましくは受光素子１２２２の上面１２２２ａより高いことが好ましい。換言すれば、フレーム１０４２の上部エッジ１０４２ａとキャリア１０２６との距離ｈＦＲ−ＰＤは、フレーム１０４２で囲まれている受光素子１２２２の上面１２２２ａとキャリア１０２６との距離ｈＰＤより大きい（ｈＦＲ−ＰＤ＞ｈＰＤ）。
好ましくは、受光素子１２２２の上面１２２２ａとキャリア１０２６との距離ｈＰＤと、フレーム１０４２の上部エッジ１０４２ａとキャリア１０２６との距離ｈＦＲ−ＰＤの差は、０ｍｍから０．５ｍｍの範囲に設定する。なお、さらに好ましくは、受光素子１２２２の上面１２２２ａとキャリア１０２６との距離ｈＰＤと、フレーム１０４２の上部エッジ１０４２ａとキャリア１０２６との距離ｈＦＲ−ＰＤの差は、０．１ｍｍから０．２ｍｍの範囲に設定する。
さらに、フレーム１０４２の上部エッジ１０４２ａとキャリア１０２６との距離ｈＦＲ−ＰＤは、発光素子１２２１，１２２３の上面１２２１ａ，１２２３ａとキャリア１０２６との距離ｈＬＥＤよりも大きい（ｈＦＲ−ＰＤ＞ｈＬＥＤ）。
【０１３９】
なお、例えば、受光素子１２２２および発光素子１２２１，１２２３が間近である場合、受光素子１２２２と発光素子１２２１，１２２３との間に、１枚のフレーム壁だけが存在する構成であってもよい。これは、製造容易性の理由で発生する場合がある。その１枚のフレーム壁がケースである場合、受光素子１２２２および発光素子１２２１，１２２３で両方のフレームのフレーム壁は一致する。これは、発光素子１２２１，１２２３のフレーム壁がより高くなることを意味する、詳述すると、発光素子１２２１，１２２３を囲むフレーム１０４１，１０４３の内の、受光素子１２２２がある側のフレーム壁が高くなり、他のフレーム壁は発光素子１２２１，１２２３の上面１２２１ａ，１２２３ａより低くなる。
さらに、フレーム１０４１，１０４２，１０４３に代えて、受光素子１２２２と発光素子１２２１、あるいは発光素子１２２３との間に第１の壁部を設け、発光素子１２２１，１２２３の外側、つまり受光素子１２２２に対して第１の壁部とは反対側に第２の壁部を設けるように構成しても良い。
このように構成した場合、キャリア１０２６と第１の壁部の上面との距離は、キャリア１０２６と第２の壁部の上面との距離よりも大きくなるように構成しても良い。このように構成することで、図１７のように発光素子や受光素子を囲うように構成した場合に比べ、より少ない部材でフレームの機能を実現することができる。
【０１４０】
なお、本実施形態４のようにフレーム１０４１，１０４３やフレーム１０４２を用いることにより、注入されるエポキシ樹脂などの絶縁性材料が流れ出すことを防ぐことができる。またこのように、追加構造を作成してエポキシ樹脂などの絶縁性材料を区切ることは、高い量産性を可能にするオプションである。なお、フレーム１０４１，１０４３やフレーム１０４２は、キャリア１０２６と同じ材料によって構成されても良い。例えばエポキシ系樹脂やポリカーボネイト系樹脂を用いて射出成型でフレームが形成されても良い。
【０１４１】
前述したように、絶縁性材料１０３２（図１６参照）は、センサーエレメント（発光素子１２２１，１２２３および受光素子１２２２）の電気的接続端子１０３４を保護する。しかしながら、これらの電気的接続端子１０３４は他の要素である追加電子機器（例えばドライバー、検出エレクトロニクス、プロセッサーまたは電源）と、さらに接触しなければならない。そして、キャリア１０２６（プリント基板（ＰＣＢ）でもよい）に、これらの追加電子機器とのなんらかの電気接続があることを意味する。
【０１４２】
（実施形態５）
図１８を参照して、実施形態５に係る生体情報測定機器としての心拍数監視装置１０５０を説明する。図１８は、実施形態５に係る生体情報測定機器としての心拍数監視装置を示す断面図である。
【０１４３】
なお、実施形態５に係る生体情報測定機器としての心拍数監視装置１０５０は、図１８では図示していないが、前述の実施形態１と同様に、バンドなどの固定部によって、被験者の腕に装着される。そして。バンドの内側（被験者の腕側の面）には、上述の実施形態１と同様な溝部が設けられており、設けられた溝部によって皮膚と外部との通気性をよくすることにより被験者の汗や付着した水分を外部に逃がすことができ、水滴の滞留による被験者の不快感を低減することができる。なお、溝部の構成については、実施形態１と同様であるので、ここでの説明を省略する。
【０１４４】
実施形態５に係る生体情報測定機器としての心拍数監視装置１０５０は、前述した追加電子機器（例えばプロセッサー１０５２およびドライバー１０５４）を備えている。外部電気接続端子（図示せず）は、センサーエレメント（発光素子１２２１および受光素子１２２２）と同じキャリア１０２６に配置されない。つまり、追加電子機器は、センサーエレメントとは別のキャリアあるいは基板に配置されている。このように構成することで、皮膚とセンサーエレメント（発光素子１２２１および受光素子１２２２）との良好な接触を維持しつつ、必要な追加電子機器を心拍数監視装置１０５０に搭載することができる。例えば、外部電気接続端子は、キャリア１０２６の側面に配置されることができる。
【０１４５】
上述したように、異なる種類のセンサーが、本発明に係る生体情報測定機器において用いられることが可能である。例えば、上述の受光素子１２２２が電気センサーである場合は、ユーザーの皮膚に接触して、ユーザーの伝導率を測定するための２本の皮膚コンダクタンス電極（例えば、センサーエレメント（図１５に示される発光素子１２２１、受光素子１２２２））は、皮膚でおおわれる。なお、さらなる、二つ以上の種類のセンサーが、この種の生体情報測定機器において、用いられることが可能である、さらに、センサーエレメントの数は問わない。
【０１４６】
実施形態２〜５において、提唱される生理的パラメーターを測定する生体情報測定機器を製造する方法のフローチャートは、図１９において示される。
第１ステップＳ１において、センサー信号を検出するための少なくとも二つのセンサーエレメント（発光素子１２２１および受光素子１２２２）から成るセンサー１０２２は、キャリア１０２６上に配置される。第２ステップＳ２において、上記センサーエレメントの電気的接触をキャリア１０２６に形成する。第３ステップＳ３において、一つ以上のフレーム１０４１，１０４２は、センサー１０２２および／または個々のセンサーエレメント（発光素子１２２１および受光素子１２２２）周辺で、キャリア１０２６の上に形成される。第４ステップＳ４において、キャリア１０２６に備えられているセンサーエレメント（発光素子１２２１および受光素子１２２２）の上面１２２１ａ，１２２２ａを覆わない、それぞれのフレーム１０４１，１０４２によって囲まれる領域に絶縁性材料１０３２が注入され満たされる。
【０１４７】
上記実施形態２〜５によれば、生体情報測定機器の性能に負の影響を及ぼすことのない電気的接触の保護を成し遂げる方法が提案される。そして、センサーの性能を保つような方法で形成される。例えば、これらのフレーム１０４１，１０４３の少なくとも一つは、皮膚全体のセンサーの位置がシフトすることを防ぐ。さらに、これらのフレーム１０４１，１０４３の少なくとも一つは、射出された直射的な光が受光素子１２２２に入力するのを防止するのに役立つことができる。好ましくは、受光素子１２２２の向きになっている側の、発光素子１２２１，１２２３のまわりのフレーム１０４１，１０４３の高さは、発光素子１２２１，１２２３の上面１２２１ａ，１２２３ａの高さより小さくなければならない。加えて、受光素子１２２２のまわりのフレーム１０４２は、受光素子１２２２の上面１２２２ａより高くてもよい。
【符号の説明】
【０１４８】
１，１Ａ…測定機器（生体情報測定機器）、５…光電脈波センサー部、１０…ケース部、１３…検出部としての窓部、１４…発光部、２０…バンド、２１…本体部、２１ｂ…開口部、２２，２２Ａ…第１バンド部、２４，２４Ａ…第２バンド部、２６…調整穴部、２７…接続部、２８，２９…溝部、３０，３０Ａ…バックル部、３１…第１プレート、３１Ａ…美錠、３２…第２プレート、３２Ａ…つく棒、３３…ヒンジ部、３３Ａ…遊革、３４Ａ…軸ピン、３５…爪部、３５Ａ…受け部、３６…爪部、３７…接続部、３８…凸状部、３９…位置決め穴、４０…凸形状、４１…凹形状、Ｗ１０，Ｗ２０…溝部の幅、Ｄ１，Ｄ２…溝部の深さ、ＷＲ…手首。
【図１】
2016096955.tif 000003
【図２】
2016096955.tif 000004
【図３】
2016096955.tif 000005
【図４】
2016096955.tif 000006
【図５】
2016096955.tif 000007
【図６】
2016096955.tif 000008
【図７】
2016096955.tif 000009
【図８】
2016096955.tif 000010
【図９】
2016096955.tif 000011
【図１０】
2016096955.tif 000012
【図１１】
2016096955.tif 000013
【図１２】
2016096955.tif 000014
【図１３】
2016096955.tif 000015
【図１４】
2016096955.tif 000016
【図１５】
2016096955.tif 000017
【図１６】
2016096955.tif 000018
【図１７】
2016096955.tif 000019
【図１８】
2016096955.tif 000020
【図１９】
2016096955.tif 000021